(57)【要約】【課題】比較的軽量で、コンパクトなため移動が容易であり、設置スペースの制約が少ないうえ、分解・組み立てが簡単で持運びが容易なバランストレーニング器具を提供することを目的とする。【解決手段】所定の間隔を隔てて床面又は地面に配置される一対の支持台と、上記支持台それぞれに載置され、該支持台相互間に架設される台座ベース台と、上記台座ベース台に載置される一対の台座と、上記台座それぞれ及び上記支持台それぞれの外面に係回されるベルトと、上記ベルトの両端を上記台座ベース台の底面側で締結するベルト締結部と、を備え、上記台座相互間に張架された上記ベルトに人体の片足又は両足を乗せてバランスをとることを特徴とする。【選択図】図１
2017023677.tif 000002
【特許請求の範囲】
【請求項１】
所定の間隔を隔てて床面又は地面に配置される一対の支持台と、前記支持台それぞれに載置され、該支持台相互間に架設される台座ベース台と、前記台座ベース台に載置される一対の台座と、前記台座それぞれ及び前記支持台それぞれの外面に係回されるベルトと、前記ベルトの両端を前記台座ベース台の底面側で締結し、該ベルトの長さを調整するベルト調整具と、を備え、前記台座相互間に張架された前記ベルトに人体の片足又は両足を乗せてバランスをとることを特徴とするバランストレーニング器具。
【請求項２】
前記台座は、上面に溝が形成され、前記支持台は、底面に溝が形成されたものであって、前記ベルトは、該溝それぞれに係回されることを特徴とする請求項１記載のバランストレーニング器具。
【請求項３】
前記ベルト調整具は、前記台座相互間に張架された前記ベルトに人体が乗ったとき、該ベルトの揺動が抑止されるように、該ベルトの張力を調節自在であることを特徴とする請求項１記載のバランストレーニング器具。
【請求項４】
前記台座ベース台は、長さが１．８ｍ未満で、前記支持台それぞれに固定されたものであり、前記台座それぞれは、高さが２０ｃｍ以上であって、該台座ベース台から分離されたものであることを特徴とする請求項１記載のバランストレーニング器具。
【請求項５】
前記ベルトは、ポリエステル繊維により形成され、前記支持台及び前記台座は、木材又はプラスチックにより形成されたものであることを特徴とする請求項１記載のバランストレーニング器具。
【発明の詳細な説明】
【技術分野】
【０００１】
本発明は、張架されたベルトに片足や両足で乗ったり、ベルト上を歩くことにより足腰の強化とバランス感覚の向上が図れるバランストレーニング器具に関するものである。
【背景技術】
【０００２】
各種のスポーツを行う際に、足腰を鍛えたり、バランス感覚の向上を図ることは極めて重要である。このため、色々なトレーニング器具が開発されている。
例えば、造波プールでサーフィンを楽しむには大きなスペースが必要なので、水が満たされた水槽と、エアーの噴出口を有する造波発生部と、一端がロープに固定され噴出口に対向して水面上に浮かぶボートを有するバランス感覚訓練装置（特許文献１参照）、一枚のベース体と、ベース体上面を左右方向に滑動するローラ構造体と、ローラ構造体に載せ利用者が乗ってバランスをとるバランスボードからなるバランス感覚訓練用運動具（特許文献２参照）などが提案されている。しかしながら、これらの訓練具では、身体を捻る運動が出来ないことから、人が乗ってバランス運動する円盤と、円盤を外周に縁枠を有する円形基台内に内装させる手段と、円盤が体重の移動によって下面中央のカップリングに挟装した転動自在の球体を支点として傾斜回動する手段とから円盤型傾斜運動具（特許文献３参照）が提案されている。また、老人が使用するには、過激であることから、合成樹脂から成る基盤１の上に４個の金属製コイルスプリングを介して合成樹脂材の踏板が水平に取り付けられ、使用者は踏板上に乗って、踏板の端にコイルスプリングの弾性力に抗して体重を交互に掛けて踏板を踏み込み、コイルスプリングの反発力により身体の平衡をとるように体重移動を行って、老若男女を問わず、バランス感覚、反射神経、柔軟性を養い、老化防止効果がある平衡感覚運動具（特許文献３参照）や、人が乗ることができる踏板を支持する支持部材と、踏板と支持部材との間に介挿され踏板を少なくとも支持部材の前後方向および左右方向に傾動可能に支持部材に連結する継手手段と、踏板の上面に刻設された溝と、溝内を踏板の傾斜に応じて自重で転動する玉と、を具え、その踏板上に人が立つことで身体のバランス感覚および足腰を強化するバランス訓練装置（特許文献４参照）が提案されている。
【先行技術文献】
【特許文献】
【０００３】
【特許文献１】特開平４−１２７６７号公報
【特許文献２】特許第００３７７７４１３号公報
【特許文献３】特開２００７−１７５３６０号公報
【特許文献４】特開２００８−６１９４２号公報
【発明の概要】
【発明が解決しようとする課題】
【０００４】
従来から、谷を隔てた岩峰相互間にロープを張り、その間をクライマーがパフォーマンスの一環として渡るスラックラインが知られているが、今日では、膝から股下くらいの高さに張ることで落下の危険性を少なくすると共に、ロープをベルトに代えた形式のスラックラインが爆発的な人気を博している。スラックラインは、様々な張り方や楽しみ方があり現在では競技スポーツとしても認知されつつある。また、バランス感覚を養うトレーニングツールとして好適であることから、スラックラインを室内でも楽しむため、所定間隔を距てた一対の支持部相互間にスラックラインを張架することのできるスラックラックが市販されている。それらは、スラックラインの両端をラチェットで固定するように構成されており、スラックラインに人が乗ると、それに応じた張力がラチェット及びスラックラックに加わるため、それらを金属部材で形成するのが一般的である。加えて、市販のスラックラックは、２ｍ乃至３ｍと長尺に形成されているので設置場所が限られるうえ、重いので持運びが容易ではない。
本発明は、かかる事情に鑑み、比較的軽量で、コンパクトなため移動が容易であり、設置スペースの制約が少ないうえ、分解・組み立てが簡単で持運びが容易なバランストレーニング器具を提供することを目的とする。
【課題を解決するための手段】
【０００５】
本発明のバランストレーニング器具は、所定の間隔を隔てて床面又は地面に配置される一対の支持台と、上記支持台それぞれに載置され、該支持台相互間に架設される台座ベース台と、上記台座ベース台に載置される一対の台座と、上記台座それぞれ及び上記支持台それぞれの外面に係回されるベルトと、上記ベルトの両端を上記台座ベース台の底面側で締結するベルト調整具と、を備え、上記台座相互間に張架された上記ベルトに人体の片足又は両足を乗せてバランスをとることを特徴とする。
このように、所定の間隔を隔てて床面又は地面に配置される一対の支持台を台座ベース台で固定し、その上に一対の台座を載せ、一対の支持台それぞれと一対の台座それぞれをベルトで係回させ、その両端をベルト調整具で固定するので、人が乗ったときの張力は、係回する一対の支持台それぞれと一対の台座それぞれとの接触面に分散され、ベルトの両端に加わる張力は弱められる。従って、ベルトを張架する支持点でベルトの張力を支える従来のスラックラックに較べて、強度の弱い、軽量な部材（例えば木材やプラスチックなど）で構成することが可能となり、器具全体を軽量化することができる。
ここで、上記台座は、上面に溝が形成され、上記支持台は、底面に溝が形成されたものであって、上記ベルトは、該溝それぞれに係回されることが好ましい。
このように係回するベルトが溝に収容されていれば、ベルトが支持台や台座から外れる恐れがないうえ、ベルト調整具からベルトが外れてもベルトが暴れる恐れが少ない。
また、上記ベルト調整具は、上記台座相互間に張架された上記ベルトに人体が乗ったとき、該ベルトが台座ベースに接触したり、ベルトが左右に揺動しないようにベルトの張力が調節自在であることが好ましい。
このように、ベルト調整具としてターンバックルのように張力の調整が可能な部材を用いれば、ベルトに乗る人の体重に応じて張力を変え、ベルトの弛みによる揺動を抑えたり、ベルトが台座ベースに接触するのを抑止する調整が容易である。
さらに、上記台座ベース台は、長さが１．８ｍ未満で、上記支持台それぞれに固定されたものであって、上記台座それぞれは、高さが２０ｃｍ以上で、該台座ベース台から分離されたものであることも好ましい。
このように、台座ベース台に支持台が固定されていれば、支持台それぞれの配置間隔を計測する必要がないし、長さが１．８ｍ未満であれば、人がベルトに乗ったときの揺動が少ない上、畳1枚のスペースでトレーニングが可能となる。また台座それぞれが台座ベース台から分離されていれば、高さの異なる台座を複数準備することにより、使用する人の年齢や基礎体力、使用目的などに応じてベルトの高さを自在に変えることができる。
また、上記ベルトは、ポリエステル繊維により形成され、上記支持台及び上記台座は、木材又はプラスチックで形成されたものであることも好ましい。
このように、支持台及び台座が木材又はプラスチックで形成されていれば、バランストレーニング器具を軽量化出来るので持ち運びが容易であり、ベルトをポリエステル繊維で形成すれば、張架されたベルト上で人が飛んだり跳ねたりしても、破断する恐れがない。
【発明の効果】
【０００６】
本発明のバランストレーニング器具は、木製又はプラスチック製であるから、軽量で持ち運びが容易である。また全体が畳一枚に収まる大きさなので、屋外はもとより、屋内においても、スペースを気にせず、足腰を鍛えたり、バランス感覚を養うトレーニングかできる。さらに、各部品の構造が単純で、製造が容易であることから、製造コストを抑えることができる。
【図面の簡単な説明】
【０００７】
【図１】図１は、本実施形態のバランストレーニング器具の一例を示す図である。
【図２】図２は、バランストレーニング器具を構成する支持台、台座ベース台並びに台座からなるベルト張架台を示す図である。
【図３】図３は、バランストレーニング器具を構成する支持台、台座ベース台並びに台座からなるベルト張架台を示す図である。
【図４】図４は、ベルト張架台にベルトを係回した状態を示す図である。
【図５】図５は、ベルト張架台にベルトを係回した状態を示す図である。
【図６】図６は、本実施形態のバランストレーニング器具の使用例を示す図である。
【発明を実施するための形態】
【０００８】
以下に、本発明のバランストレーニング器具の実施形態について図に基づいて説明する。
図１は、本実施形態のバランストレーニング器具の一例を示す図であり、図２及び図３は、バランストレーニング器具を構成する支持台、台座ベース台並びに台座からなるベルト張架台を示す図である。
図１に示すバランストレーニング器具１０は、床面又は地面に所定の間隔を開けて配置する一対の支持台２Ａ，２Ｂと、一定の長さを有し、支持台２Ａ，２Ｂそれぞれに載置して支持台２Ａ，２Ｂ相互間に架設する台座ベース台３と、台座ベース台３の両端に載置する一対の台座１Ａ，１Ｂと、台座ベース台３に載置した一対の台座１Ａ，１Ｂそれぞれ及び床面又は地面に配置した一対の支持台２Ａ，２Ｂそれぞれの外面を係回するベルト４と、ベルト４の両端それぞれを掛止してベルトを締結し、長さが調整自在なベルト調整具５と、を備えている。
本実施形態のバランストレーニング器具は、一対の支持台それぞれと一対の台座それぞれとにベルトを係回させて張架しているので、人が乗ったときのベルトの張力は、支持台それぞれと台座それぞれとの接触面に分散される。従って、ベルトの両端に加わる張力は、弱められるので、市販のスラックラックのようにベルトを二地点で支える場合に較べて、器具の材質強度を大幅に引き下げることができる。すなわち、スラックラックを、例えば重量のかかる金属で形成する必要がないので、木材やプラスチックを用いて全体を軽量化し、持ち運びが容易なように構成することができる。
【０００９】
図２及び図３に示すように、ベルト張架台６は、木製又はプラスチック製の支持台２Ａ，２Ｂ、及び木製又はプラスチック製の台座ベース台３、並びに台座１Ａ，１Ｂで構成される。
支持台２Ａ，２Ｂは、バランストレーニング器具１０がぐらつかないように、台座ベース台３と直交方向両側に翼が広がった、航空機の尾翼のような形状の板状部材からなり、床面又は地面に配置される底面側には、ベルト４を収容する、深さが５ｍｍ程度、幅が２５ｍｍを超える溝１ｘ、２ｘが形成されている。
台座ベース台３は、幅が５０ｍｍ乃至７０ｍｍ、長さが１．２ｍ乃至１．６ｍ、厚さが３０ｍｍ乃至４０ｍｍの長尺板である。
台座１Ａ，１Ｂは、張架されるベルト４の地上高を一定に保持する台形の部材で、台座ベース台３に載置する面とは反対の上面には、ベルト４を収容する、深さが５ｍｍ程度、幅が２５ｍｍを超える溝１ｘが形成されている。支持台２Ａ，２Ｂ相互間に架設される台座ベース台３は、長さが１．２ｍ乃至１．６ｍあり、航空機の尾翼のような形状をした支持台２Ａ，２Ｂと両端が面一となるように支持台２Ａ，２Ｂの中央部に接着剤で固定される。
ここで、本実施形態の支持台２Ａ，２Ｂと台座ベース台３とは、接着剤で固定されているが、必ずしも固定する必要はない。また、台座１Ａ，１Ｂと台座ベース台３相互は固定されていないので、高さの異なる台座１Ａ，１Ｂを複数準備しておけば、トレーニングの目的や、使用する人の運動能力などに応じてベルト４の高さを変えることができる。なお、支持台２Ａ，２Ｂと台座ベース台３とを固定する場合の固定方法は、必ずしも接着剤による必要はなく、ボルト又は釘で固定してもよい。
このように、支持台２Ａ，２Ｂと台座ベース台３とが固定されていれば、地面又は床面に配置する支持台２Ａ，２Ｂ相互の間隔を調整する必要がないので手間が省ける。
また、支持台２Ａ，２Ｂの形状は、必ずしも航空機の尾翼のような形状である必要はないが、バランストレーニング器具１０がぐらつかないように台座ベース台３と直交方向の両側が広幅に形成されたものであればよい。さらに、台座ベース台３は、幅が５０ｍｍ乃至７０ｍｍ、長さが１．２ｍ乃至１．６ｍ、厚さが３０ｍｍ乃至４０ｍｍの長尺板を用いているが、必ずしもこれらの寸法に限定する必要はない。ただし、長さを１．８ｍ未満にすれば、畳一枚のスペースがあれば、バランストレーニング器具１０を設置することができるので、スペースをあまり意識せず、トレーニングを行うことができる。
【００１０】
図4及び図５は、ベルト張架台にベルトを係回した状態を示す図である。
図4及び図５に示すように、ベルト張架台６を構成する一対の支持台２Ａ，２Ｂの、地面又は床面と接触する底面側それぞれ、及び一対の台座１Ａ，１Ｂの、台座ベース台３と接する側と反対の上面側それぞれには、ベルト４の幅よりも広幅の溝１ｘ、２ｘが形成されている。そして、ベルト４の両端がベルト張架台６の底面側にくるようにして、ベルト張架台６にベルト４を係回し、ベルト４の両端それぞれをベルト調整具５で掛止する。
ベルト４には、例えばポリエステル繊維を袋とじ織りした、（１）厚さが２ｍｍで幅が２５ｍｍ、破断強度が２３２６ｋｇｆ、破断時の伸び率が１４．５％のベルト、（２）厚さが２ｍｍで幅が３５ｍｍ、破断強度が３４９０ｋｇｆ、破断時の伸び率が１６．７％のベルト、（３）厚さが２ｍｍで幅が５０ｍｍ、破断強度が４４９７ｋｇｆ、破断時の伸び率が１７％のベルトを使用することができる。
本実施形態では、ベルト調整具５として、ターンバックルを使用している。ターンバックルは、図４における拡大図で示すように、一方は右ねじ、他方は左ねじになっており、中央の胴部を、例えば右回転するとねじがゆるんで張力が弱まり、左回転するとねじが締まって張力が強まるように構成されている。このように、ターンバックル中央の胴部を回して張力の調整ができるので、ベルトに乗る人の体重に応じて張力を調整し、ベルト４が弛んで左右に揺れることや、台座ベース台３にベルト４が接触しないようにすることができる。
ここで、本実施形態では、ベルト調整具５にターンバックルを使用しているが、必ずしもターンバックルに限定する必要はなく、例えばラチェット式バックルを使用することもできる。また、支持台２Ａ，２Ｂ及び台座１Ａ、１Ｂには、ベルト４を収容する溝１ｘ、２ｘが形成されているが、ベルト４は一対の台座１Ａ，１Ｂそれぞれ及び一対の支持台２Ａ，２Ｂそれぞれの外面に係回され、ターンバックルでしっかりと締め付けることができ、ベルト４がずれたり、外れたりするおそれは極めて少ないので、溝１ｘ、２ｘは必ずしも必要としない。
【００１１】
図６は、本実施形態のバランストレーニング器具の使用例を示す図である。
図６においては、バランストレーニング器具１０は、床面又は地面に設置され、一対の台座１Ａ，１Ｂ相互間に張架したベルト４に人が片足を乗せ、落下しないように両手でバランスをとっている。
このほか、両足を乗せ、落下しないように両手でバランスをとりながらベルト４の上を移動することや、床面や地面からベルト４に飛び乗ってバランスをとるなど、様々なパフォーマンスを行うことで足腰を鍛え、各種スポーツの鍛錬用として、あるいはリハビリ用として屋外はもとより、室内においても活用することができる。
【産業上の利用可能性】
【００１２】
スポーツ選手のトレーニング用や身体障害者のリハビリ用のほか、遊具として或いは学校の教具としても活用できる。
【符号の説明】
【００１３】
１Ａ，１Ｂ    支持台
１ｘ，２ｘ    溝
２Ａ，２Ｂ    台座
３            台座ベース台
４            ベルト
５            ベルト調整具
６            ベルト張架台
１０          バランストレーニング器具
【図１】
2017023677.tif 000003
【図２】
2017023677.tif 000004
【図３】
2017023677.tif 000005
【図４】
2017023677.tif 000006
【図５】
2017023677.tif 000007
【図６】
2017023677.tif 000008